(57)【要約】【課題】既存蒸気タービン発電は静翼を具備して、物理基礎の運動エネルギ＝質量×速度の２乗に比例するを利用０接近にし、海水温度を上昇し地球温暖化を加速している。【解決手段】理論最良で質量×速度の２乗に比例するを利用可能な全動翼とした、横型蒸気水発電機２１Ｘ発電等として、真空中の重力加速度水加速発電落差製造用の重力発電建物１２を無限製造が可能なため、マッハ１水速度駆動の横型蒸気水発電機２１Ｘを製造し、既存揚水発電との優位性比較説明倍率を計算すると、同一水質量既存揚水発電の５倍速度で２５倍発電量の無限増大が可能な計算になり、既存蒸気タービン最終翼群発電量との優位性比較説明倍率を計算すると、同一流路面積の流水質量が蒸気質量の１万倍前後のため、１万倍質量で１万倍発電量の無限増大が可能な計算になる等実験が必要な倍率とし、地球温暖化防止にする。【選択図】図２
2016113952.tif 000002
【特許請求の範囲】
【請求項１】
一体タービン翼群（８Ｇ）水平軸（１６Ａ）を１鋳造部品として全長を夫々１．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項２】
一体タービン翼群（８Ｇ）水平軸（１６Ａ）を１鋳造部品として全長を夫々２ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項３】
一体タービン翼群（８Ｇ）水平軸（１６Ａ）を１鋳造部品として全長を夫々２．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項４】
一体タービン翼群（８Ｇ）水平軸（１６Ａ）を１鋳造部品として全長を夫々３ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項５】
一体タービン翼群（８Ｇ）水平軸（１６Ａ）を１鋳造部品として全長を夫々３．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項６】
一体タービン翼群（８Ｇ）水平軸（１６Ａ）を１鋳造部品として全長を夫々４ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項７】
一体タービン翼群（８Ｇ）水平軸（１６Ａ）を１鋳造部品として全長を夫々４．５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項８】
一体タービン翼群（８Ｇ）水平軸（１６Ａ）を１鋳造部品として全長を夫々５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項９】
一体タービン翼群（８Ｇ）水平軸（１６Ａ）を１鋳造部品として全長を夫々５．５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項１０】
一体タービン翼群（８Ｇ）水平軸（１６Ａ）を１鋳造部品として全長を夫々６ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項１１】
一体タービン翼群（８Ｇ）水平軸（１６Ａ）を１鋳造部品として全長を夫々６ｍ以上のタービン外箱（７７ａ）や発電機外箱（７７ｃ）の段落毎１鋳造部品として横型蒸気水発電機（２１Ｘ）とした各種エネルギ保存サイクル合体機関。
【請求項１２】
一体タービン翼群（８Ｇ）水平軸（１６Ａ）を２鋳造部品として全長を夫々１．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項１３】
一体タービン翼群（８Ｇ）水平軸（１６Ａ）を２鋳造部品として全長を夫々２ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項１４】
一体タービン翼群（８Ｇ）水平軸（１６Ａ）を２鋳造部品として全長を夫々２．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項１５】
一体タービン翼群（８Ｇ）水平軸（１６Ａ）を２鋳造部品として全長を夫々３ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項１６】
一体タービン翼群（８Ｇ）水平軸（１６Ａ）を２鋳造部品として全長を夫々３．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項１７】
一体タービン翼群（８Ｇ）水平軸（１６Ａ）を２鋳造部品として全長を夫々４ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項１８】
一体タービン翼群（８Ｇ）水平軸（１６Ａ）を２鋳造部品として全長を夫々４．５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項１９】
一体タービン翼群（８Ｇ）水平軸（１６Ａ）を２鋳造部品として全長を夫々５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項２０】
一体タービン翼群（８Ｇ）水平軸（１６Ａ）を２鋳造部品として全長を夫々５．５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項２１】
一体タービン翼群（８Ｇ）水平軸（１６Ａ）を２鋳造部品として全長を夫々６ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項２２】
一体タービン翼群（８Ｇ）水平軸（１６Ａ）を２鋳造部品として全長を夫々６ｍ以上のタービン外箱（７７ａ）や発電機外箱（７７ｃ）の段落毎１鋳造部品として横型蒸気水発電機（２１Ｘ）とした各種エネルギ保存サイクル合体機関。
【請求項２３】
一体タービン翼群（８Ｇ）水平軸（１６Ａ）を３鋳造部品として全長を夫々１．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項２４】
一体タービン翼群（８Ｇ）水平軸（１６Ａ）を３鋳造部品として全長を夫々２ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項２５】
一体タービン翼群（８Ｇ）水平軸（１６Ａ）を３鋳造部品として全長を夫々２．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項２６】
一体タービン翼群（８Ｇ）水平軸（１６Ａ）を３鋳造部品として全長を夫々３ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項２７】
一体タービン翼群（８Ｇ）水平軸（１６Ａ）を３鋳造部品として全長を夫々３．５ｍ以下のタービン外箱（７７ａ）や発電機外箱（７７ｃ）の段落毎３Ｄプリンター製造として横型蒸気水発電機（２１Ｘ）とした各種エネルギ保存サイクル合体機関。
【請求項２８】
一体タービン翼群（８Ｇ）水平軸（１６Ａ）を３鋳造部品として全長を夫々４ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項２９】
一体タービン翼群（８Ｇ）水平軸（１６Ａ）を３鋳造部品として全長を夫々４．５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項３０】
一体タービン翼群（８Ｇ）水平軸（１６Ａ）を３鋳造部品として全長を夫々５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項３１】
一体タービン翼群（８Ｇ）水平軸（１６Ａ）を３鋳造部品として全長を夫々５．５ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項３２】
一体タービン翼群（８Ｇ）水平軸（１６Ａ）を３鋳造部品として全長を夫々６ｍ以下のタービン外箱（７７ａ）や発電機外箱（７７ｃ）の段落毎１鋳造部品として横型蒸気水発電機（２１Ｘ）とした各種エネルギ保存サイクル合体機関。
【請求項３３】
一体タービン翼群（８Ｇ）水平軸（１６Ａ）を３鋳造部品として全長を夫々６ｍ以上のタービン外箱（７７ａ）や発電機外箱（７７ｃ）の段落毎１鋳造部品として横型蒸気水発電機（２１Ｘ）とした各種エネルギ保存サイクル合体機関。
【請求項３４】
一体タービン翼群（８Ｇ）水平軸（１６Ａ）を１鋳造部品として全長を１，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項３５】
一体タービン翼群（８Ｇ）水平軸（１６Ａ）を１鋳造部品として全長を２ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項３６】
一体タービン翼群（８Ｇ）水平軸（１６Ａ）を１鋳造部品として全長を２，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項３７】
一体タービン翼群（８Ｇ）水平軸（１６Ａ）を１鋳造部品として全長を３ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項３８】
一体タービン翼群（８Ｇ）水平軸（１６Ａ）を１鋳造部品として全長を３，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項３９】
一体タービン翼群（８Ｇ）水平軸（１６Ａ）を１鋳造部品として全長を４ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４０】
一体タービン翼群（８Ｇ）水平軸（１６Ａ）を１鋳造部品として全長を４，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４１】
一体タービン翼群（８Ｇ）水平軸（１６Ａ）を１鋳造部品として全長を５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４２】
一体タービン翼群（８Ｇ）水平軸（１６Ａ）を１鋳造部品として全長を５，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４３】
一体タービン翼群（８Ｇ）水平軸（１６Ａ）を１鋳造部品として全長を６ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４４】
一体タービン翼群（８Ｇ）水平軸（１６Ａ）を１鋳造部品として全長を６ｍ以上として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４５】
一体タービン翼群（８Ｇ）水平軸（１６Ａ）を２鋳造部品として全長を１，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４６】
一体タービン翼群（８Ｇ）水平軸（１６Ａ）を２鋳造部品として全長を２ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４７】
一体タービン翼群（８Ｇ）水平軸（１６Ａ）を２鋳造部品として全長を２，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４８】
一体タービン翼群（８Ｇ）水平軸（１６Ａ）を２鋳造部品として全長を３ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項４９】
一体タービン翼群（８Ｇ）水平軸（１６Ａ）を２鋳造部品として全長を３，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５０】
一体タービン翼群（８Ｇ）水平軸（１６Ａ）を２鋳造部品として全長を４ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５１】
一体タービン翼群（８Ｇ）水平軸（１６Ａ）を２鋳造部品として全長を４，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５２】
一体タービン翼群（８Ｇ）水平軸（１６Ａ）を２鋳造部品として全長を５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５３】
一体タービン翼群（８Ｇ）水平軸（１６Ａ）を２鋳造部品として全長を５，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５４】
一体タービン翼群（８Ｇ）水平軸（１６Ａ）を２鋳造部品として全長を６ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５５】
一体タービン翼群（８Ｇ）水平軸（１６Ａ）を２鋳造部品として全長を６ｍ以上として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５６】
一体タービン翼群（８Ｇ）水平軸（１６Ａ）を３鋳造部品として全長を１，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５７】
一体タービン翼群（８Ｇ）水平軸（１６Ａ）を３鋳造部品として全長を２ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５８】
一体タービン翼群（８Ｇ）水平軸（１６Ａ）を３鋳造部品として全長を２，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項５９】
一体タービン翼群（８Ｇ）水平軸（１６Ａ）を３鋳造部品として全長を３ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６０】
一体タービン翼群（８Ｇ）水平軸（１６Ａ）を３鋳造部品として全長を３，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６１】
一体タービン翼群（８Ｇ）水平軸（１６Ａ）を３鋳造部品として全長を４ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６２】
一体タービン翼群（８Ｇ）水平軸（１６Ａ）を３鋳造部品として全長を４，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６３】
一体タービン翼群（８Ｇ）水平軸（１６Ａ）を３鋳造部品として全長を５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６４】
一体タービン翼群（８Ｇ）水平軸（１６Ａ）を３鋳造部品として全長を５，５ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６５】
一体タービン翼群（８Ｇ）水平軸（１６Ａ）を３鋳造部品として全長を６ｍ以下として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６６】
一体タービン翼群（８Ｇ）水平軸（１６Ａ）を３鋳造部品として全長を６ｍ以上として超大型旋盤（１０Ｈ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６７】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６８】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項６９】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７０】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７１】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７２】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７３】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７４】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７５】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７６】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７７】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７８】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項７９】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８０】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８１】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８２】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８３】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８４】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８５】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８６】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８７】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８８】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項８９】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９０】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９１】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９２】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９３】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９４】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９５】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９６】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９７】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９８】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項９９】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気水発電機（２１Ｘ）とした各種エネルギ保存サイクル合体機関。
【請求項１００】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０１】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０２】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０３】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０４】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０５】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０６】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０７】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０８】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１０９】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１０】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１１】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１２】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１３】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１４】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１５】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１６】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１７】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１８】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１１９】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２０】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２１】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２２】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２３】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２４】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２５】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２６】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２７】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２８】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１２９】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１３０】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１３１】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１３２】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気水発電機（２１Ｘ）とした各種エネルギ保存サイクル合体機関。
【請求項１３３】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１３４】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１３５】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１３６】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１３７】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１３８】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１３９】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４０】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４１】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４２】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４３】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４４】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４５】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４６】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４７】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４８】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１４９】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５０】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５１】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５２】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５３】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５４】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５５】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５６】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５７】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５８】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１５９】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１６０】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１６１】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１６２】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１６３】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１６４】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１６５】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気水発電機（２１Ｘ）とした各種エネルギ保存サイクル合体機関。
【請求項１６６】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１６７】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１６８】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１６９】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７０】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７１】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７２】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７３】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７４】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７５】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７６】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７７】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７８】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１７９】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８０】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８１】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８２】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８３】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８４】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８５】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８６】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８７】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８８】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１８９】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９０】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９１】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９２】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９３】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９４】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９５】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９６】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９７】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９８】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項１９９】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２００】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０１】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０２】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０３】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０４】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０５】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０６】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０７】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０８】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２０９】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１０】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１１】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１２】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１３】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１４】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１５】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１６】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１７】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１８】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２１９】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２０】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２１】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２２】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２３】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２４】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２５】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２６】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２７】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２８】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２２９】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２３０】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２３１】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２１Ｘ）とした各種エネルギ保存サイクル合体機関。
【請求項２３２】
一体タービン翼群（８Ｇ）水平軸（１６Ａ）を１鋳造部品として全長を夫々１．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２３３】
一体タービン翼群（８Ｇ）水平軸（１６Ａ）を１鋳造部品として全長を夫々２ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２３４】
一体タービン翼群（８Ｇ）水平軸（１６Ａ）を１鋳造部品として全長を夫々２．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２３５】
一体タービン翼群（８Ｇ）水平軸（１６Ａ）を１鋳造部品として全長を夫々３ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２３６】
一体タービン翼群（８Ｇ）水平軸（１６Ａ）を１鋳造部品として全長を夫々３．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２３７】
一体タービン翼群（８Ｇ）水平軸（１６Ａ）を１鋳造部品として全長を夫々４ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２３８】
一体タービン翼群（８Ｇ）水平軸（１６Ａ）を１鋳造部品として全長を夫々４．５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２３９】
一体タービン翼群（８Ｇ）水平軸（１６Ａ）を１鋳造部品として全長を夫々５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２４０】
一体タービン翼群（８Ｇ）水平軸（１６Ａ）を１鋳造部品として全長を夫々５．５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２４１】
一体タービン翼群（８Ｇ）水平軸（１６Ａ）を１鋳造部品として全長を夫々６ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２４２】
一体タービン翼群（８Ｇ）水平軸（１６Ａ）を１鋳造部品として全長を夫々６ｍ以上のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２４３】
一体タービン翼群（８Ｇ）水平軸（１６Ａ）を２鋳造部品として全長を夫々１．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２４４】
一体タービン翼群（８Ｇ）水平軸（１６Ａ）を２鋳造部品として全長を夫々２ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２４５】
一体タービン翼群（８Ｇ）水平軸（１６Ａ）を２鋳造部品として全長を夫々２．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２４６】
一体タービン翼群（８Ｇ）水平軸（１６Ａ）を２鋳造部品として全長を夫々３ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２４７】
一体タービン翼群（８Ｇ）水平軸（１６Ａ）を２鋳造部品として全長を夫々３．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２４８】
一体タービン翼群（８Ｇ）水平軸（１６Ａ）を２鋳造部品として全長を夫々４ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２４９】
一体タービン翼群（８Ｇ）水平軸（１６Ａ）を２鋳造部品として全長を夫々４．５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２５０】
一体タービン翼群（８Ｇ）水平軸（１６Ａ）を２鋳造部品として全長を夫々５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２５１】
一体タービン翼群（８Ｇ）水平軸（１６Ａ）を２鋳造部品として全長を夫々５．５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２５２】
一体タービン翼群（８Ｇ）水平軸（１６Ａ）を２鋳造部品として全長を夫々６ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２５３】
一体タービン翼群（８Ｇ）水平軸（１６Ａ）を２鋳造部品として全長を夫々６ｍ以上のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２５４】
一体タービン翼群（８Ｇ）水平軸（１６Ａ）を３鋳造部品として全長を夫々１．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２５５】
一体タービン翼群（８Ｇ）水平軸（１６Ａ）を３鋳造部品として全長を夫々２ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２５６】
一体タービン翼群（８Ｇ）水平軸（１６Ａ）を３鋳造部品として全長を夫々２．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２５７】
一体タービン翼群（８Ｇ）水平軸（１６Ａ）を３鋳造部品として全長を夫々３ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２５８】
一体タービン翼群（８Ｇ）水平軸（１６Ａ）を３鋳造部品として全長を夫々３．５ｍ以下のタービン外箱（７７ａ）や発電機外箱（７７ｃ）の段落毎３Ｄプリンター製造として横型蒸気比重大物質発電機（２１Ｗ）とした各種エネルギ保存サイクル合体機関。
【請求項２５９】
一体タービン翼群（８Ｇ）水平軸（１６Ａ）を３鋳造部品として全長を夫々４ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２６０】
一体タービン翼群（８Ｇ）水平軸（１６Ａ）を３鋳造部品として全長を夫々４．５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２６１】
一体タービン翼群（８Ｇ）水平軸（１６Ａ）を３鋳造部品として全長を夫々５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２６２】
一体タービン翼群（８Ｇ）水平軸（１６Ａ）を３鋳造部品として全長を夫々５．５ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２６３】
一体タービン翼群（８Ｇ）水平軸（１６Ａ）を３鋳造部品として全長を夫々６ｍ以下のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２６４】
一体タービン翼群（８Ｇ）水平軸（１６Ａ）を３鋳造部品として全長を夫々６ｍ以上のタービン外箱（７７ａ）や発電機外箱（７７ｃ）の段落毎１鋳造部品として横型蒸気比重大物質発電機（２１Ｗ）とした各種エネルギ保存サイクル合体機関。
【請求項２６５】
一体タービン翼群（８Ｇ）水平軸（１６Ａ）を１鋳造部品として全長を１，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２６６】
一体タービン翼群（８Ｇ）水平軸（１６Ａ）を１鋳造部品として全長を２ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２６７】
一体タービン翼群（８Ｇ）水平軸（１６Ａ）を１鋳造部品として全長を２，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２６８】
一体タービン翼群（８Ｇ）水平軸（１６Ａ）を１鋳造部品として全長を３ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２６９】
一体タービン翼群（８Ｇ）水平軸（１６Ａ）を１鋳造部品として全長を３，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７０】
一体タービン翼群（８Ｇ）水平軸（１６Ａ）を１鋳造部品として全長を４ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７１】
一体タービン翼群（８Ｇ）水平軸（１６Ａ）を１鋳造部品として全長を４，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７２】
一体タービン翼群（８Ｇ）水平軸（１６Ａ）を１鋳造部品として全長を５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７３】
一体タービン翼群（８Ｇ）水平軸（１６Ａ）を１鋳造部品として全長を５，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７４】
一体タービン翼群（８Ｇ）水平軸（１６Ａ）を１鋳造部品として全長を６ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７５】
一体タービン翼群（８Ｇ）水平軸（１６Ａ）を１鋳造部品として全長を６ｍ以上として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７６】
一体タービン翼群（８Ｇ）水平軸（１６Ａ）を２鋳造部品として全長を１，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７７】
一体タービン翼群（８Ｇ）水平軸（１６Ａ）を２鋳造部品として全長を２ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７８】
一体タービン翼群（８Ｇ）水平軸（１６Ａ）を２鋳造部品として全長を２，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２７９】
一体タービン翼群（８Ｇ）水平軸（１６Ａ）を２鋳造部品として全長を３ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８０】
一体タービン翼群（８Ｇ）水平軸（１６Ａ）を２鋳造部品として全長を３，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８１】
一体タービン翼群（８Ｇ）水平軸（１６Ａ）を２鋳造部品として全長を４ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８２】
一体タービン翼群（８Ｇ）水平軸（１６Ａ）を２鋳造部品として全長を４，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８３】
一体タービン翼群（８Ｇ）水平軸（１６Ａ）を２鋳造部品として全長を５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８４】
一体タービン翼群（８Ｇ）水平軸（１６Ａ）を２鋳造部品として全長を５，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８５】
一体タービン翼群（８Ｇ）水平軸（１６Ａ）を２鋳造部品として全長を６ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８６】
一体タービン翼群（８Ｇ）水平軸（１６Ａ）を２鋳造部品として全長を６ｍ以上として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８７】
一体タービン翼群（８Ｇ）水平軸（１６Ａ）を３鋳造部品として全長を１，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８８】
一体タービン翼群（８Ｇ）水平軸（１６Ａ）を３鋳造部品として全長を２ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２８９】
一体タービン翼群（８Ｇ）水平軸（１６Ａ）を３鋳造部品として全長を２，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９０】
一体タービン翼群（８Ｇ）水平軸（１６Ａ）を３鋳造部品として全長を３ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９１】
一体タービン翼群（８Ｇ）水平軸（１６Ａ）を３鋳造部品として全長を３，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９２】
一体タービン翼群（８Ｇ）水平軸（１６Ａ）を３鋳造部品として全長を４ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９３】
一体タービン翼群（８Ｇ）水平軸（１６Ａ）を３鋳造部品として全長を４，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９４】
一体タービン翼群（８Ｇ）水平軸（１６Ａ）を３鋳造部品として全長を５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９５】
一体タービン翼群（８Ｇ）水平軸（１６Ａ）を３鋳造部品として全長を５，５ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９６】
一体タービン翼群（８Ｇ）水平軸（１６Ａ）を３鋳造部品として全長を６ｍ以下として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９７】
一体タービン翼群（８Ｇ）水平軸（１６Ａ）を３鋳造部品として全長を６ｍ以上として超大型旋盤（１０Ｈ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９８】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項２９９】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３００】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０１】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０２】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０３】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０４】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０５】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０６】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０７】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０８】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３０９】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１０】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１１】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１２】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１３】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１４】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１５】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１６】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１７】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１８】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３１９】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２０】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２１】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２２】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２３】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２４】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２５】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２６】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２７】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２８】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３２９】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３０】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３１】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３２】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３３】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３４】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３５】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３６】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３７】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３８】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３３９】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４０】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４１】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４２】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４３】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４４】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４５】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４６】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４７】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４８】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３４９】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５０】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５１】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５２】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５３】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５４】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５５】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５６】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５７】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５８】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３５９】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３６０】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３６１】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３６２】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３６３】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して研磨剤に近い物質の製造を阻止した柱管（１２Ｂ）で水を上昇保存使用する横型蒸気比重大物質発電機（２１Ｗ）とした各種エネルギ保存サイクル合体機関。
【請求項３６４】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３６５】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３６６】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３６７】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３６８】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３６９】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７０】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７１】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７２】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７３】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７４】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７５】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７６】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７７】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７８】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３７９】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８０】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８１】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８２】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８３】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８４】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８５】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８６】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８７】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８８】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３８９】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９０】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９１】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９２】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９３】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９４】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９５】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９６】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして横型蒸気比重大物質発電機（２１Ｗ）とした各種エネルギ保存サイクル合体機関。
【請求項３９７】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項３９８】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項３９９】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４００】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０１】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０２】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０３】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０４】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０５】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０６】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０７】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０８】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４０９】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１０】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１１】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１２】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１３】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１４】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１５】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１６】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１７】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１８】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４１９】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２０】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２１】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２２】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２３】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２４】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２５】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２６】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２７】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２８】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４２９】
一体タービ  ン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３０】
一体タービン翼群（８Ｇ）水平軸（１６Ａ）を１鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３１】
一体タービン翼群（８Ｇ）水平軸（１６Ａ）を１鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３２】
一体タービン翼群（８Ｇ）水平軸（１６Ａ）を１鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３３】
一体タービン翼群（８Ｇ）水平軸（１６Ａ）を１鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３４】
一体タービン翼群（８Ｇ）水平軸（１６Ａ）を１鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３５】
一体タービン翼群（８Ｇ）水平軸（１６Ａ）を１鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３６】
一体タービン翼群（８Ｇ）水平軸（１６Ａ）を１鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３７】
一体タービン翼群（８Ｇ）水平軸（１６Ａ）を１鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３８】
一体タービン翼群（８Ｇ）水平軸（１６Ａ）を１鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４３９】
一体タービン翼群（８Ｇ）水平軸（１６Ａ）を１鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４０】
一体タービン翼群（８Ｇ）水平軸（１６Ａ）を１鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４１】
一体タービン翼群（８Ｇ）水平軸（１６Ａ）を２鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４２】
一体タービン翼群（８Ｇ）水平軸（１６Ａ）を２鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４３】
一体タービン翼群（８Ｇ）水平軸（１６Ａ）を２鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４４】
一体タービン翼群（８Ｇ）水平軸（１６Ａ）を２鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４５】
一体タービン翼群（８Ｇ）水平軸（１６Ａ）を２鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４６】
一体タービン翼群（８Ｇ）水平軸（１６Ａ）を２鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４７】
一体タービン翼群（８Ｇ）水平軸（１６Ａ）を２鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４８】
一体タービン翼群（８Ｇ）水平軸（１６Ａ）を２鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４４９】
一体タービン翼群（８Ｇ）水平軸（１６Ａ）を２鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５０】
一体タービン翼群（８Ｇ）水平軸（１６Ａ）を２鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５１】
一体タービン翼群（８Ｇ）水平軸（１６Ａ）を２鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５２】
一体タービン翼群（８Ｇ）水平軸（１６Ａ）を３鋳造部品として全長を１，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５３】
一体タービン翼群（８Ｇ）水平軸（１６Ａ）を３鋳造部品として全長を２ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５４】
一体タービン翼群（８Ｇ）水平軸（１６Ａ）を３鋳造部品として全長を２，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５５】
一体タービン翼群（８Ｇ）水平軸（１６Ａ）を３鋳造部品として全長を３ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５６】
一体タービン翼群（８Ｇ）水平軸（１６Ａ）を３鋳造部品として全長を３，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５７】
一体タービン翼群（８Ｇ）水平軸（１６Ａ）を３鋳造部品として全長を４ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５８】
一体タービン翼群（８Ｇ）水平軸（１６Ａ）を３鋳造部品として全長を４，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４５９】
一体タービン翼群（８Ｇ）水平軸（１６Ａ）を３鋳造部品として全長を５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４６０】
一体タービン翼群（８Ｇ）水平軸（１６Ａ）を３鋳造部品として全長を５，５ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４６１】
一体タービン翼群（８Ｇ）水平軸（１６Ａ）を３鋳造部品として全長を６ｍ以下として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【請求項４６２】
一体タービン翼群（８Ｇ）水平軸（１６Ａ）を３鋳造部品として全長を６ｍ以上として超大型旋盤（１０Ｈ）と一体タービン翼用研削盤（１０Ｊ）で加工本組立てして超大型旋盤（１０Ｈ）で保持超高速バランス調整加工して上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２１Ｗ）とした各種エネルギ保存サイクル合体機関。
【発明の詳細な説明】
【技術分野】
【０００１】
デフレ時の企業利益率減少２０年企業利益率最低弱者皺寄せ最大での増税は最悪で、先進国経済成長戦略には弱小企業の利益率革命的上昇が最重要最良で、先進国経済成長戦略やデフレ脱却には発明の優位性倍率最大の実験結果が重要で、実験結果以外では結果不明で騙しの危険が大きく、失われた２０年で日本の財政赤字が１０００兆円を超えた原因のため、実験結果から計算する財政赤字解消戦略を最短で０にする戦略が必要や重要で、真空中の重力加速度加速で駆動する最も製造容易な横型蒸気水発電機２１Ｘでの実験結果を予想すると、真空中で加速した隕石の落下速度がマッハ１００〜５０のためマッハ３０での発電が予想され、マッハ１以下の実験では既存技術の発電機使用等略全部使用可能等実験容易で、既存揚水発電の水速度がマッハ１／５の場合マッハ１速度で駆動すると、同一水質量既存揚水発電１台の２５倍発電量となり、落差２００ｍに１００台では２５００倍発電量や利益率となり、横型蒸気水発電機２１Ｘ揚水発電では水落差無限製造となり、電気が不要な国が皆無のため日本の財政赤字急速０戦略になり、別の優位性比較実験予想でも既存蒸気タービン発電の最終段蒸気速度がマッハ１前後のため、同一流路面積同速度質量が蒸気タービン最終段翼群の１００００倍質量の水駆動横型蒸気水発電機２１Ｘとなり、落差２００ｍに１００台具備でも蒸気タービン最終翼群の百万倍発電量や利益率となり、実験結果が必要なため超大型３Ｄプリンターを製造して、各種実験結果により一体タービン翼群８Ｇの最良翼数や最良外径や最良対向間隔を決定し、決定後金属製の横型蒸気水発電機２１Ｘに移行して、運動エネルギ＝質量×速度の２乗に比例するや、水力発電機出入力は回転数の３乗に比例するに挑戦を開始し、略７２年要した人類史上最大の貢献が可能なエンジン発明の実験結果を必要として、速度利用は上限皆無のため改良発明が無限に多く、極秘研究極秘製造極秘実験極秘運用し、実験結果を利用する改良エンジン発明無限増大狙いにして、年金生活発明に可能な最大多数の協力で協力長者無限増大狙いにし、デフレ脱却や財政赤字１千兆円超を最短で０にして最も効率良く地球温暖化防止する、先進国経済成長戦略政治家戦略や外交戦略をお願いします。
【０００２】
先進国経済成長戦略政治家戦略にはクリントン大統領の物真似改良の資金０発明に協力が最良で、利益率最大で人類史上最大の貢献する発明に国民全員参加して人類貢献痛快発明を無限増大し、先進国経済成長戦略には優位性比較説明倍率最大の発明で独占以外の道は無く、発明軽視政治２０年等優位性倍率０接近で途上国有利な経済成長戦略により、日本の労働効率を先進国最下位や財政赤字1千兆円や、弱小企業の給料が低減するデフレ等財政破綻を明確にして、韓国や中国に軽蔑排斥されるを改良し、労働効率を上昇するには物真似改良可能な途上国経済成長戦略から、米国の労働効率以上が狙える運用利益率抜群世界一永遠狙いの先進国経済成長戦略に総理以下が大変心して、利益率抜群の発明独占に協力して価値の高い仕事を製造独占給料増大する以外の道は無く、労働効率を１００倍等として人類史上最大の貢献狙う本発明は発明方法に困惑日本人協力皆無のため、中国電力定年退職金で米国特許を取得して３年３回クリントン大統領にご協力お願いしたところ、大統領は３年３回ビッグスリーをホワイトハウスに呼んで命令し、３年３個の米国特許の説明不可部分発生は製造不可発明や利益率の大きい発明の発明方法が判明して、優位性の比較説明倍率最大のこの発明に到達したもので、日本の納税分野が世界１２７位や事業設立分野が世界１１４位等最悪のため、製造物全部を運用する事業設立無限増大や納税企業無限増大にし、米国大統領の発明に１００％協力を手本に製造物全部運用を追加して、製造物全部を極秘運用兼極秘実験として極秘改良発明の独占を永遠にし、改良発明が無限に多い各種エンジン発明に対応して、日本の財政赤字１０００兆円を最短期間で０にし、年金制度破綻回避医療制度破綻回避貿易赤字回避ハイパーインフレ回避日本破綻を回避する、優位性の比較説明倍率既存揚水発電の２２５００倍発電量類似等として、世界中で産業大革命の最大を全力利用し、実験の最初から運用利益率が通常の１０倍〜１００倍利益率等になるか確認して、順次２２５００倍に近付く可能性に類似する各種実証実験をお願いすると共に、先進国経済成長戦略の政治家の戦略とし、米国が狙う素人発明に協力が最良で利益率世界一永遠戦略に合体をお願いします。
【０００３】
日本は敗戦で米国の技術を知り物真似改良発明による高度経済成長をし、米国の沈没危機を製造したのに日本の政治家は何もしない成長と誤認して、先進国は物真似改良されると沈没するのに日本は何もしない政治継続とし、米国は沈没危機を情報技術発明等により回避して世界一を維持しており、成果による給料は労働コスト１／５等途上国との競争で長時間労働必須で現状が政治結果のため、政治家は言葉以外に利益抜群の発明に米国以上の協力が重要で、既存最先端科学技術の現状は製造困難部分に大チャンスの羅列状態で、実験皆無のため超大型工作機械や超大型３Ｄプリンターの製造から出発の実験になりますが、水力発電機出入力は回転速度の３乗に比例するから、入力は可変速モーターが実用化され実証されているため、出力も回転速度の３乗に比例するか実験が必要ですが、蒸気タービン発電では静翼を多数具備で１／３０蒸気速度等回転速度低減を中核とし、物理基礎の運動エネルギ＝質量×速度の２乗に比例するも静翼で多数回堰き止めて０接近にして、蒸気タービン等実用化可能にして成長戦略の大チャンスを製造しており、デフレ脱却には企業収益の増大による給料増大以外は無く、部品数を１／１０００等として超高速回転に挑戦が必要ですが挑戦皆無のため絶好のチャンスで、給料増大には日本企業の世界一必勝戦略が必要なため、オールジャパン戦略として日本企業のみ電力料金を０接近にする国家戦略や企業戦略等が最重要で、先進国経済成長戦略や少子化対策には具体的な優位性の比較説明倍率最大を実行や、給料増大子育て可能全員が最重要や、既存火力発電や原子力発電は発電熱量全部で海水温度を上昇温暖化加速し竜巻等を巨大化して、中国経済成長速度と人口密度や地形により米国竜巻を超えて日本に住めなくなる危険が大きく、一刻も早い海水温度上昇を０にする発電が最重要で、実験が必要な落差無限製造の発電量無限増大や電気駆動全部の燃料費０発電とし、海水温度上昇０の地球温暖化防止として、既存世界の火力発電や原子力発電を０にし、発電による海水温度上昇０やＣＯ２排気０にする。
【０００４】
再生可能エネルギ発電の発電効率最大最良が比重大物質の真空中重力加速度発電で、静翼具備して堰き止め減速発電は最悪で、既存の蒸気タービン発電やガスタービン等全部最悪で膨大なチャンスを提供中で、スペースシャトルの噴射圧力２４ＭＰａ噴射速度マッハ３０を水噴射水蒸気加速重力加速度加速にすると、マッハ３０以上が非常に容易ですが全動翼二重反転翼夫々の周速度がマッハ３０近傍になり、夫々の回転数が１０万回転／毎分等となるため最初は周速度マッハ１〜２等での実験として、大型３Ｄプリンターで横型蒸気水発電機２１Ｘ製造、発電原価や電気料金を太陽光発電の１／１０以下１／１００等にする実験にし、製造過程では既存蒸気タービンが質量×速度の利用を阻止する静翼を２０段前後具備して、過熱蒸気速度を２０回前後堰き止め９０度反転蒸気速度を１／３０等とし、製造容易な蒸気タービンにする等マッハ３０等の速度利用は振動等で非常に困難を予想して、一体タービン翼群８Ｇを、１鋳造部品にすることで部品数１／１００以下等共振や振動を最少に回転数最大狙いにし、超大型旋盤１０Ｈや一体タービン翼用研削盤１０Ｊ等で加工後本組立して、超大型旋盤１０Ｈで超高速バランス調整加工の振動０接近を追加し、反発磁石等各種磁気利用の軸受荷重０接近で振動等０接近の超高速回転記録狙いにして、横型蒸気水発電機２１Ｘの発電量や利益率の実験が必要な、優位性比較説明倍率最大の人類史上最大の貢献狙う年金生活発明のため、協力者多数が１００倍利益に永遠挑戦し長者番付狙う、素人とプロが協力する国を挙げたご協力お願いします。
【背景技術】
【０００５】
水力発電機出入力は回転速度の３乗に比例するから、入力は可変速モーターが実用化されており、隕石落下速度がマッハ１００〜５０のため、真空中の重力加速度加速マッハ５０駆動にすると、発電機出力や利益率が５０倍の３乗等膨大になり、利益率の実験から出発が必要で、日本のデフレや少子化の原因が給料漸減の為、対策は弱小企業の利益率増大給料増大以外は無く、優位性倍率最大の発明で独占する先進国経済成長戦略の運用利益率最大の雇用無限増大が最良で、優位性倍率僅少や中身０や円安政策等の途上国経済成長戦略では、平均給料が減少するデフレ沈没政策の継続となるため米国の物真似が必要な背景があり、昭和１７年航空機製作所水島工場に就職エンジン発明で人類史上最大の貢献を決意し、日本は米国の物真似改良技術による高度経済成長で、背景技術が簡単に金儲け発明全部で製造困難発明は実験皆無の背景があり、先進国経済成長戦略は中身の細部説明で実施可能や実験可能になり、最大の実験必要部分はスペースシャトルの燃焼室圧力２２〜２５ＭＰａでマッハ３０前後噴射速度にして、宇宙軌道に到達し、発電用蒸気タービンは２４ＭＰａ蒸気速度を静翼で２０回前後堰き止め９０度方向転換を繰り返して、音速に減速して実用化可能にしており、全部動翼にすると気化膨張率の大きい水が同一圧力液体水素燃焼ガス噴射速度の２倍速度水蒸気になるか、実験が必要や、８０ＭＰａ水蒸気製造は可能で液体水素ロケット燃焼でも可能か等製造原価の実験や、超臨界圧力水蒸気５Ｈ噴射で宇宙到達費用を１／５０万に出来るか等、既存技術全部の各種実験等経済成長戦略中身を必要とし、最大の協力は昭和３８年特許願２１３８０号サイン曲線ピストン機関を、岡山地方発明センターに請負で製造して頂き、実物を見て貴重な経験や勉強やエンジン革命困難の予想となり次の発明に移行して最も困った部分が、利益率抜群世界一の貢献が可能な発明の定義で、国内企業等にご協力のお願いを始め、クリントン大統領３年３回米国特許３件に１００％のご協力により、具体的な優位性の比較説明倍率最重要が判明して、水力発電機出入力は回転数の３乗に比例するから、入力は可変速モーターが実用化使用中で、出力は実験皆無等のため運動エネルギ＝質量×速度の２乗に比例するで計算し、横型蒸気水発電機２１Ｘを水速度マッハ３０駆動にすると、同一水質量既存揚水発電の２２５００倍発電量や利益率となる背景技術利用にして、真空中の重力加速度発電から出発し、運用利益率最大の背景技術多数に挑戦します。
【０００６】
最先端科学技術が簡単に金儲け全部で、製造困難な超高速度運動エネルギ利用に挑戦皆無の背景があり、利益率を最大にする中身議論も協力も皆無のため財政赤字が１０００兆円を超えた背景もあり、小学校卒業と同時に利益率最大のエンジン発明で人類史上最大の貢献に挑戦したのは、高学歴では洗脳で既存技術が最良となる欠点が有るため、小学校卒業の洗脳皆無の長所を活用して既存技術を考えると、既存最先端科学技術が静翼で堰き止めて、運動エネルギ＝質量×速度の２乗に比例する最も重要な部分を利用不可能として、回転出力等を大幅に低減し、速度利用に挑戦しない蒸気タービンやガスタービンとして先進国経済成長戦略の大チャンスにして、回転出力等の出力は超高速回転実験皆無の背景技術があるため静翼全廃全動翼の実験から出発とし、教育テレビ物理基礎の運動エネルギ＝質量×速度の２乗に比例するを極限まで利用する実験として、横型蒸気水発電機２１Ｘを設計の過程で既存蒸気タービン最終翼群と同速度マッハ１以下の実験とし、既存の発電機等使用可能や超大型３Ｄプリンターで製造可能として、逆浸透水５２Ｄをポンプ噴射し、横型蒸気水発電機２１Ｘを駆動して、一体タービン翼群８Ｇの最良翼数や最良翼外径や対向間隔を決定する実験として、決定後に金属製横型蒸気水発電機２１Ｘの設計製造とし、初速製造部６ａで逆浸透水５２Ｄを噴射して、超臨界圧力水蒸気５Ｈ噴射により逆浸透水５２Ｄを吸引噴射加速マッハ３０等とし、横型蒸気水発電機２１Ｘを駆動し実験結果を同一水質量既存揚水発電の２２５００倍発電量狙いにして、素人やプロの欠点を補填する地球温暖化防止革命にし、先進国経済成長戦略革命や、世界全部で運用する運用利益率抜群世界一永遠狙い等国家経営により、日本の財政赤字１０００兆円を比較的短期間に０にする製造困難な各種背景技術がある。
【先行技術文献】
【特許文献】
【０００７】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００８】
【特許文献２】ＰＣＴ国際出願公開ＮＯ．ＷＯ  ２０１０／１０１０１７  ＰＣＴ／ＪＰ２０１０／０５２１７１の出願があり、特願２００７−１７９２０４提出日：平成１９年７月９日より特願２００７−２６５１１５提出日：平成１９年１０月１１日まで５個の出願があり、特願２００８−００６６１２提出日：平成２０年１月１６日より特願２００８−３２７０４５提出日：平成２０年１２月２４日まで４５個の出願があり、特願２００９−０１１６５６提出日：平成２１年１月２２日より特願２００９−２９８００４提出日：平成２１年１２月２８日まで３２２個の出願があり、特願２０１０−０００８４１提出日：平成２２年１月６日より特願２０１０−０３３２２４提出日：平成２２年２月１８日まで３２個の出願があり、特願２０１１−０５５０７８提出日：平成２３年３月１４日より特願２０１１−２６７５０８提出日平成２３年１２月７日まで２２個の出願があり、特願２０１２−０３２２４５提出日：平成２４年２月１７日より特願２０１２−２７１０３５提出日：平成２４年１２月１２日まで２９個の出願があり、特願２０１３−７９７５提出日：平成２５年１月２１日より特願２０１３−２５０６８３提出日：平成２５年１２月４日まで３０個の出願があり、特願２０１４−４６９０提出日：平成２６年１月１５日より特願２０１４−１０１８７６提出日：平成２６年５月１６日まで６個の出願があります。
【発明の概要】
【発明が解決しようとする課題】
【０００９】
先進国経済成長戦略には具体的な中身の優位性比較説明倍率最大が重要で、人類史上最大の貢献が可能なエンジン発明の定義が、利益率抜群世界一のエンジン発明にする課題のため、発明の過程で説明不可部分が発生する等、専門家の対応が全く不明で困惑し国内企業等多数にご協力のお願いを始め、日本人の協力は昭和３８年岡山地方発明センターの協力が最初で最後のため、中国電力を定年退職した退職金で米国特許を取得して、クリントン大統領にご協力のお願いをしたところ、クリントン大統領はお願いの都度３年３回ビッグスリーをホワイトハウスに呼んで命令し、ビッグスリー３年目の報告で説明不可部分発生発明は製造不可発明が判明して、優位性の説明倍率が０近傍では実験する価値０発明のため、米国大統領１００％のご協力により優位性説明倍率最大の発明に到達したため、米国政治の物真似改良が必要や各種実験が必要で、実験結果の予想が既存揚水発電の水速度をマッハ１に増大し、真空中の重力加速度加速で駆動する横型蒸気水発電機２１Ｘ等では、同一水質量既存揚水発電の５倍速度２５倍発電量となり、更に落差２００ｍに１００台の駆動では更に１００倍の２５００倍発電量となり、企業利益率が２５００倍等膨大過ぎるため実験が必要で、労働時間１／２や給料２倍等が非常に容易になり、デフレ脱却が明白になるため製造困難に挑戦が必要な課題があり、地球温暖化防止し地震津波の巨大化や竜巻豪雨等の巨大化を阻止して、運用利益率抜群世界一を永遠や給料世界一や新規雇用世界一にし、最も効率良く地球温暖化防止して日本の財政赤字を最短で０にする課題がある。
【課題を解決するための手段】
【００１０】
超大型３Ｄプリンターを製造実験用横型蒸気水発電機２１Ｘ製造として、横型蒸気水発電機２１Ｘの一体タービン翼群８Ｇを３Ｄプリンターで製造し、両側に水平軸１６Ａを具備した水平軸板１６を固着３部品の一体タービン翼群８Ｇとして、実験用マッハ１以下駆動用の一体タービン翼群８Ｇとし、その外周に実験用タービン外箱７７ａを多段に３Ｄプリンター製造として、３Ｄプリンターの製造変更容易の長所利用にし、一体タービン翼群８Ｇの多数翼具備実験や大径の実験や対向距離で最良結果利用にして、最も大発電量が得られる一体タービン翼群８Ｇ数や外径や対向距離の決定とし、初速製造部６ａも実験用として、マッハ１前後の水噴射ポンプ使用逆浸透水５２Ｄ噴射とし、マッハ１噴射では回転周速度が既存蒸気タービン発電と略同速度のため、既存の発電機駆動として、既存技術で略全部可能なため軸受荷重０接近を不要とし、既存技術と同様に発電機駆動して、マッハ１噴射の実験結果が同一水質量既存揚水発電の２５倍発電量の実験結果狙いにし、マッハ１噴射の優位性比較可能な２箇所目の発電部分が、既存蒸気タービン最終翼群で実験結果予想が、マッハ１速度同一流路面積既存蒸気タービン最終翼群の１万倍質量駆動が、横型蒸気水発電機２１Ｘのため、落差２００ｍに１００台で発電すると、百万倍発電量や利益率等の横型蒸気水発電機２１Ｘとなり、落差は無限製造が可能なため、海水温度の上昇０等最も効率良く地球温暖化防止し、運用利益率抜群の世界一永遠や給料世界一や新規雇用世界一にして、日本の財政赤字を最短で０にする。
【発明の効果】
【００１１】
利益率が大きい程人類貢献も大きいため人類史上最大の貢献をする効果が有り、本発明は利益率等で人類史上最大の貢献に挑戦の過程で、日本政府が世界規模１００％永遠独占に挑戦の場合は、財政赤字１０００兆円を比較的短期間に０以下にする効果があり、米国政府が世界規模１００％永遠独占を主導の場合は、利益率世界一として米国国債全部を０同等にする大きな効果があり、利益率の大きい発明に協力しない国家戦略や企業戦略で沈没２０年等継続の過程で、労働効率最悪の儘経済の好循環を狙う中身が僅少等の給料増大や消費税の１０％増税は、給料漸減等により日本崩壊を阻止していた必然現象に逆行する最悪政策のため、労働効率先進国最下位からの企業収益の低減により日本沈没が加速する危険があり、一刻も早い日本政府等の本発明に協力が必要で協力により、韓国や中国による日本蔑視攻撃を鎮静化して日本沈没を阻止する効果があり、国家戦略特区にも優位性比較説明倍率最大等中身が無いと利益率の実験が不可能に加えて、利益率の大きい独占権で無いと安価労働コスト途上国実施が常識で日本沈没継続になるため、特区等に換えて利益率抜群世界一等の発明に協力する国家戦略にすると、限りある資源を子孫に残す大きな効果があり、横型蒸気水発電機２１Ｘの燃料費０発電にして、同一水質量既存揚水発電の２５倍〜２２５００倍発電量等とし、発電原価１／１００狙い等として、運用利益率抜群の世界一永遠や給料世界一や新規雇用世界一にする効果があり、最も効率良く地球温暖化防止して日本の財政赤字を急速０にする効果がある。
【図面の簡単な説明】
【００１２】
【図１】重力発電建物１２の説明図（実施例１）
【図２】横型蒸気水発電機２１Ｘ一体タービン翼群８Ｇの説明図（実施例２）
【図３】横型蒸気水発電機２１Ｘと発電機の実験用の説明図（実施例３）
【図４】横型蒸気水発電機２１Ｘと発電機の軸受荷重０接近説明図（実施例４）
【図５】横型蒸気比重大物質発電機２１Ｗ一体タービン翼群８Ｇの説明図（実施例５）
【図６】横型蒸気比重大物質発電機２１Ｗ発電機と軸受荷重０接近の説明図（実施例６）
【発明を実施するための形態】
【００１３】
先進国経済成長戦略には具体的な中身の優位性比較説明倍率最大が必要で、優位性０近傍の中身が僅少等の経済成長戦略では途上国有利で給料漸減戦略のため、優位性０近傍では労働コスト１／５等途上国の経済成長戦略に貢献する以外は無く、超高速度エネルギ利用の技術分野は優位性比較倍率の１０００倍以上が無限に多く、先進国経済成長戦略に最適で工作機械皆無実験皆無等政治主導や国家経営を必要とし、小学校卒業航空機製作所に就職し人類史上最大の貢献にするエンジン発明を決意して、５０年前後の過程で困ったのが説明不可部分の発生で大企業等にご協力お願いを始め、クリントン大統領３年のご協力により説明不可部分発生発明は製造不可発明が判明し、最重要が優位性の比較説明倍率最大と判明して決意から７２年目の年金生活発明で、優位性比較倍率が膨大で実験の最初から既存発電の１０倍を超える利益率が予想され、加えて超高速度利用は非常に困難なため改良発明も無限に多く、極秘研究極秘製造極秘実験極秘改良極秘運用する、横型蒸気水発電機２１Ｘを超大型３Ｄプリンターで中核製造等とし、各種実験結果により最良の設計製造を可能にして、金属製の横型蒸気水発電機２１Ｘの設計製造駆動実験等とし、発電量＝質量×速度の２乗に比例するや水力発電機出入力は回転数の３乗に比例するを徹底研究にして、発明を実施するための形態とします。
【実施例１】
【００１４】
図１の重力発電建物１２は、図２横型蒸気水発電機２１Ｘ等を具備して、多数の柱管１２Ｂを比重大物質上昇装置２Ｆとし、５倍速度噴射では５倍上昇量を可能な低速上昇速度の既存可変速揚水ポンプ入力既存技術使用として、実験過程ではマッハ１駆動が既存蒸気タービン最終翼群で実用化のため発電機等全部既存技術使用とし、他は可能な限り超大型３Ｄプリンター製造製造する一体タービン翼群８Ｇやタービン外箱７７ａとして、水力発電機出入力は回転数の３乗に比例するで実用化中の可変速揚水ポンプで効率良く上昇保存とし、初速製造部６ａ比重大物質加速器６Ｗで既存技術ポンプ噴射してマッハ１等の噴射速度で実験として、横型蒸気水発電機２１Ｘ一体タービン翼群８Ｇの多数翼具備実験や大径の実験や対向距離の実験とし、最も大発電量が得られる一体タービン翼群８Ｇの翼数や外径や対向距離とした設計確定製造として、金属製横型蒸気水発電機２１Ｘの設計製造に移行重力発電建物１２の柱管１２Ｂの設計製造に移行し、柱管１２Ｂの内径や内部や継手部分をクロームメッキ等として、逆浸透水５２Ｄに研磨剤に近い物質の混入や酸化物等の製造を阻止し、大径の頑丈な柱にして、実用化中の可変速揚水ポンプにより低速上昇速度で揚水電力僅少にし、継手に角フランジ１２Ｄを鉄骨骨組１２Ａに合せて具備して、鉄骨骨組１２Ａの上下を角フランジ１２Ｄにボルト締め組立てにし、重力発電建物１２を構成して、内部に矩形の横型蒸気水発電機２１Ｘ等を具備燃料費０発電にし、日本は先進国と自覚して、クリントン大統領がお願いの米国特許に１００％協力を手本にし、先進国維持には利益率抜群の新規発明無限増大以外の道が無いと自覚して、先進国経済成長戦略中身の実験が必要な、各種エネルギ保存サイクル合体機関の発明に協力し、最も効率の良い地球温暖化防止をお願いします。
【実施例２】
【００１５】
図２の横型蒸気水発電機２１Ｘ一体タービン翼群８Ｇは、実験結果による最良の設計製造にするため専門家の協力が必要な実験用からの出発として、多数の柱管１２Ｂを比重大物質上昇装置２Ｆとし、実験過程ではマッハ１駆動が既存蒸気タービン最終翼群で実用化のため、発電機等可能な限り既存技術を使用して各種実験を容易として、可能な限り超大型３Ｄプリンター製造して製造する一体タービン翼群８Ｇやタービン外箱７７ａとし、水力発電機出入力は回転数の３乗に比例するで実用化中の可変速揚水ポンプで効率良く上昇保存として、初速製造部６ａ比重大物質加速器６Ｗで既存技術ポンプ噴射してマッハ１等の噴射速度で実験とし、横型蒸気水発電機２１Ｘ一体タービン翼群８Ｇの多数翼具備実験や大径の実験や対向距離の実験として、最も大発電量が得られる一体タービン翼群８Ｇの翼数や外径や対向距離とした設計確定後の製造とし、金属製横型蒸気水発電機２１Ｘの設計製造に移行する過程を図３から図４の超高速駆動に対応として、図３では図２の一体タービン翼群８Ｇやタービン外箱７７ａを３Ｄプリンターで製造各種実験とし、最良の翼数や外径や対向距離を確認して図４の金属製横型蒸気水発電機２１Ｘの設計製造に移行して、マッハ３０前後の速度製造は人工衛星発射で実用化中のため最も安価な速度製造方法の実験とし、運動エネルギ＝質量×速度の２乗に比例すると水力発電機出入力は回転数の３乗に比例するを重要として、最も効率良く揚水発電にする実用化中の可変速揚水ポンプと比重大物質上昇装置２Ｆにより、逆浸透水５２Ｄ水エネルギを最上部に上昇保存し、初速製造部６ａ比重大物質加速機６Ｗで逆浸透水５２Ｄ噴射して、超臨界圧力水蒸気５Ｈを噴射吸引加速し、横型蒸気水発電機２１Ｘを駆動するエネルギ保存サイクル合体機関にする。
【実施例３】
【００１６】
図３の横型蒸気水発電機２１Ｘと既存発電機は、既存最先端科学技術を小学校理科で考えると高速度利用が皆無に近く、超高速度利用の実験にすると利益率が速度の２乗に比例するか回転数の３乗に比例するかの実験となり、超高速度を利用するためには部品数最少が必要で、一体タービン翼群８Ｇの両端に軸を固着し他を３Ｄプリンター製造にすると３部品の回転実験になり、超高速回転実験前の各種実験に最適や製造が非常に容易で多数の実験を容易にして、一体タービン翼群８Ｇの翼数や外径や対向距離等非常に重要な実験が容易となり、超高速度を利用する前の実験準備実験が最も重要なため、実験駆動速度をマッハ１前後にすることで、一体タービン翼群８Ｇやタービン外箱７７ａ段落毎等可能な限り超大型３Ｄプリンター製造にして、発電機等も可能な限り既存技術利用として３６００回転／分等にし、既存技術による横型蒸気水発電機２１Ｘにすることで製造容易にした各種実験にして、超大型３Ｄプリンターで製造することで多数の設計製造を容易として多数の試作実験を容易にし、最も大発電量が得られる一体タービン翼群８Ｇの翼数や外径や対向距離を各種実験により確認して、設計製造の基礎資料を確定後に金属製横型蒸気水発電機２１Ｘの製造に移行し、一体タービン翼群８Ｇやタービン外箱７７ａ＋発電機外箱７７ｃ段落毎を１鋳造部品にして、超大型旋盤１０Ｈや一体タービン翼用研削盤１０Ｊ等で加工製造し、超高速回転に対応する部品数最少や発電機を同軸とした磁気利用軸受荷重０接近にして、超高速回転で共振や振動を最少にする横型蒸気水発電機２１Ｘにするエネルギ保存サイクル合体機関にする。
【実施例４】
【００１７】
図４の横型蒸気水発電機２１Ｘと発電機の軸受荷重０接近は、図３の実験用横型蒸気水発電機２１Ｘにより、最も大発電量が得られる一体タービン翼群８Ｇの翼数や外径や対向距離にし、金属製の横型蒸気水発電機２１Ｘにしたもので、既存最先端科学技術を小学校理科で考えると高速度利用が皆無に近く超高速度を利用するため、一体タービン翼群８Ｇや発電機回転子１３ａを同軸回転として超高速回転を可能にし、軸受１２Ｃ荷重０接近や推力軸受１３Ｃを不要にする、環状の外周Ｎ極内周Ｓ極の上吸引下左右反発磁石９ｅを水平軸１６Ａに具備して、上Ｎ極下Ｓ極の電磁石の複数棒磁石を、タービン外箱７７ａや発電機外箱７７ｃに固着上吸引下左右反発磁石９ｅにし、軸受１２Ｃ支持部には環状右Ｎ極左Ｓ極や環状右Ｓ極左Ｎ極の磁石を夫々反発磁石として具備して、夫々の上吸引下左右反発磁石９ｅの完成とし、反発棒磁石は中核で吸引棒磁石は補助的具備にする棒磁石固定位置の設定や電磁石の具備数等にして、棒磁石は複数具備や電磁石を含めて推力軸受１３Ｃを不要にして超高速回転対応にし、一体タービン翼群８Ｇや発電機回転子１３ａの超高速回転を磁気利用で共振や振動０接近にして、重力発電建物１２で真空中の重力加速度加速する落差を製造初速製造部６ａで逆浸透水５２Ｄ噴射し、超臨界圧力水蒸気５Ｈ噴射逆浸透水５２Ｄを吸引加速重力加速度加速して、マッハ３０速度で一体タービン翼群８Ｇに噴射し、一体タービン翼群８Ｇ回転して、発電機回転子１３ａを回転の過程で磁気利用軸受荷重０接近にし、超高速回転実験で発電量が回転数の３乗に比例するか回転周速度の３乗に比例か等の実験にして、同一水質量既存揚水発電の２倍〜２２５００倍発電量の大革命にし、一体タービン翼群８Ｇを１鋳造部品やタービン外箱７７ａや発電機外箱７７ｃを段落毎１鋳造部品として、マッハ３０等の水速度駆動に対応し、この発明が小学校理科の洗脳皆無に近い長所を活用したエンジン発明で、人類史上最大の貢献に挑戦７２年目で、既存専門技術知識が０に近い欠点が有り、３年３回３個の米国特許にクリントン大統領１００％協力と同様に、日本専門家皆様の１００％ご協力で、利益率無限増大等財政赤字１千兆円の高速０挑戦をお願いします。
【実施例５】
【００１８】
図５の横型蒸気比重大物質発電機２１Ｗ一体タービン翼群８Ｇは、図２の横型蒸気水発電機２１Ｘの水駆動を比重大物質駆動に変換し水３Ｅに比重大物質２Ｅの混合噴射等として、他は同じのため合体説明とし、運動エネルギ＝質量×速度の２乗に比例するから、質量を増大して発電量を増大する改良発明無限増大に使用するもので、初速度製造部６ｂから噴射加速する比重大物質２Ｅとして合金含む、白金球や金球やタングステン合金粉末焼結球や銀球や銅球や錫球や鉛球や亜鉛球やアルミニウム球や、インジウムやカドミウムやガリウムやタリウムやビスマス等とし、製造法は小径程衝撃エネルギが低減するため、例えば溶融鋼を大気中に噴射高速衝突粉砕空気冷却水冷却で超小径鋼球等製造して、シリコン樹脂被覆やケイ素樹脂被覆や被覆白金合金球や被覆金合金球や被覆タングステン合金粉末焼結球や被覆銀合金球や被覆ビスマス合金球や被覆銅合金球や被覆錫合金球や被覆鉛合金球や被覆亜鉛合金球や被覆アルミニウム合金球等とし、比重大物質３Ｅとしては水銀や水等常温で液体の物質で圧力や容積等を製造して、固体の比重大物質を混合噴射する中核物質とし、初速製造部６ｂの比重大物質加速機６Ｗより混合噴射し超臨界圧力水蒸気５Ｈで吸引噴射加速して、マッハ３０等に重力加速部１ｇで加速し、横型蒸気比重大物質発電機２１Ｗに対向に具備した一体タービン翼群８Ｇの中央に噴射して、最良の高真空が可能な段数とした横型蒸気比重大物質発電機２１Ｗを駆動し、水力発電機出入力は回転数の３乗に比例するや運動エネルギ＝質量×速度の２乗に比例する検証として、優位性比較説明倍率が同一水質量既存揚水発電の２２５００倍発電量の検証とし、揚水発電革命による利益率抜群世界一や地球温暖化防止発電の各種真空中の重力加速度発電にして、給料世界一や雇用大増大する人類史上最大の貢献とし、極秘製造極秘運用極秘改良発明を最重要として、日本企業にも秘密漏洩０狙い横型蒸気比重大物質発電機２１Ｗとし、比重大物質を上昇保存駆動するエネルギ保存サイクル合体機関にする。
【実施例６】
【００１９】
図６の横型蒸気比重大物質発電機２１Ｗと発電機の軸受荷重０接近は、図４の横型蒸気水発電機２１Ｘの水駆動を比重大物質駆動に変換したもので、他は同じのため合体説明とし、運動エネルギ＝質量×速度の２乗に比例するから質量を増大して発電量を増大する研究に使用するもので、既存最先端科学技術を小学校理科で考えると高速度利用が皆無に近く超高速度を利用するため、一体タービン翼群８Ｇや発電機回転子１３ａを同軸回転として超高速回転を可能にし、軸受１２Ｃ荷重０接近や推力軸受１３Ｃを不要にする上吸引下左右反発磁石９ｅを具備して、軸受１２Ｃと共に反発磁石は中核で吸引磁石は補助的具備にする棒磁石固定位置の設定にし、複数具備や電磁石を含めて推力軸受１３Ｃを不要にして、超高速回転対応にし、一体タービン翼群８Ｇや発電機回転子１３ａの超高速回転を磁気利用で共振や振動０接近にして、重力発電建物１２で真空中の重力加速度加速する落差を製造し、初速製造部６ｂより噴射加速の過程で、夫々の比重大物質加速器６Ｗを解放し、逆浸透水５２Ｄや２Ｅや３Ｅ等製造実験が必要な各種比重大物質の混合物を噴射して、超臨界圧力水蒸気５Ｈを噴射して吸引加速重力加速度加速し、一体タービン翼群８Ｇ中間に噴射して対向回転発電の回転出力を増大して、夫々の一体タービン翼群８Ｇ対向回転し、発電機回転子１３ａを対向回転して発電機固定子１３で発電の過程で、上吸引下左右反発磁石９ｅの磁気利用軸受荷重０接近にして、超高速回転実験で発電量が回転数の３乗に比例するか回転周速度の３乗に比例か等の実験にし、実験結果が同一比重大物質質量マッハ３０速度で既存揚水発電の２２５００倍になるか等の実験にして、この発明が小学校理科の洗脳皆無に近い長所を活用したエンジン発明で、人類史上最大の貢献に挑戦したため、既存専門技術知識が０に近い欠点が有り、クリントン大統領１００％協力と同様に、日本専門家皆様の１００％ご協力をお願いします。
【産業上の利用可能性】
【００２０】
既存最先端科学技術が簡単に金儲け全部や発明実施全部や、静翼で堰き止め減速して使用する機関類全部や、超高速回転バランス調整加工が必要な機関類発明が皆無等、物理基礎の運動エネルギ＝質量×速度の２乗に比例するに挑戦皆無や、水力発電機出力は回転数の３乗に比例するに挑戦皆無や、静翼を具備して堰き止める速度利用を辞退全部のため、速度利用に挑戦すると、横型蒸気水発電機２１Ｘ等各種発電量の優位性比較説明倍率が、同一水質量５倍速度で既存揚水発電の２５倍発電量の優位性比較倍率になり、更にその３０倍水速度が可能や、マッハ１速度同一流路面積既存蒸気タービン最終翼群と、同一流路面積同一水速度駆動では、１万倍質量１万倍発電量の優位性比較説明倍率になり、更にマッハ３０の水速度になる可能性が有るため、既存の火力発電や原子力発電が自然淘汰する可能性があり、太陽光発電や風力発電も順次０になる可能性がある。
【符号の説明】
【００２１】
０：優位性比較説明倍率（実験の必要倍率）  ０：各種エネルギ保存サイクル合体機関（各種熱エネルギは空気温度として熱ポンプで圧縮熱回収熱製造使用して、重力エネルギは上昇保存噴射真空中重力加速度加速して発電し電気駆動や電気製造物駆動等各種関連機関）  １：発電機、  １ｃ：液体燃料、  1ｅ：工場発電、  １ｆ：横軸軸受０接近（横軸軸受＋推力軸受＋電磁石等で軸受荷重０接近）  １ｈ：横軸（外側軸装置と内側軸装置の回転方向交互にする軸）  １ｇ：重力加速部、  １Ａ：蓄電池、  １Ｄ：燃料噴射ポンプ、  １Ｅ：交換容易蓄電池、  １Ｇ：充電容易蓄電池、  １Ｈ：自家発電、  １Ｋ：液体燃料制御弁、  １Ｌ：高圧燃料加熱管、  ２Ａ：耐熱材、    ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）  ２Ｅ：比重大物質（製造法は小径程衝撃エネルギが低減するため例えば溶融鋼を大気中に噴射高速衝突粉砕空気冷却水冷却で超小径鋼球等製造）  ２Ｅ：比重大物質（シリコン樹脂被覆やケイ素樹脂被覆の被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）  ２Ｆ：比重大物質上昇装置、  ２Ｗ：低温空気熱交換器、  ２Ｙ：圧縮空気熱交換器（高圧空気２８ａ冷熱＋過熱蒸気５０温熱製造）    ２ｂ：水抵抗僅少（船底に空気や燃焼ガスや過熱蒸気等を高速噴射して水抵抗僅少にする）  ２ｃ：断熱材、  ２ｄ：長レンズ（凸レンズ断面を直線状に延長矩形とし、複数使用で焦点距離最短レンズ幅最大狙う）    ３ｄ：合体タービン、  ３ｅ：２段圧縮機、  ３ｓ：二重反転圧縮機、  ３ｔ：空気タービン、  ３ｕ：タービン、  ３Ｄ：電気熱供給設備、  ３Ｅ：比重大物質（水銀や水等常温で液体の比重大物質）    ３Ｅ：比重大物質（金属を球形として弾性物質の被覆を具備した物質）  ３Ｑ：理論膨張機関（ボイルの法則で最良狙う）  ３Ｒ：理論ガスタービン、  ３Ｓ：理論蒸気タービン、  ３Ｔ：理論気体圧縮機、  ３Ｕ：理論タービン、  ４Ｃ：対向同期歯車、  ４Ｄ：直列同回転歯車、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｌ：理論膨張機関自動車、  ４Ｍ：理論タービン自動車、  ４Ｑ：理論燃焼室（過熱蒸気製造で理論空燃比燃焼既存の４倍燃焼量等や２０倍圧力過熱蒸気噴射狙う燃焼室）、  ４Ｔ：軸流二重反転圧縮機、  ４Ｖ：軸流二重反転タービン、  ４ｄ：歯車装置、  ４ｅ：ローラー、  ４ｆ：回転支持部、  ５：空気噴射ノズル、  ５ｂ：圧縮空気路、  ５Ｇ：水蒸気加熱管、  ５Ｇ：水管、  ５Ｈ：超臨界圧力水蒸気、  ５Ｈ：超臨界圧力水蒸気管、  ５Ｊ：圧縮空気過熱管、  ５Ｋ：液体酸素、  ５Ｌ：液体窒素室、  ５Ｌ：液体窒素、  ５Ｍ：高圧高温燃焼室、  ５Ｑ：高圧高温水制御弁、  ５Ｓ：圧縮空気加熱管���  ５Ｖ：圧縮空気制御弁、  ５Ｚ：水ポンプ、  ６：最終圧縮翼、  ６ａ：初速製造部（水を５Ｈ加速する）  ６ｂ：初速製造部（水等各種２Ｅや３Ｅを５Ｈ加速する）  ６Ａ：過熱蒸気ロケット噴口（用途により逆噴射可能にした噴口）  ６Ｂ：圧縮空気噴射ノズル、  ６Ｆ：水噴射ノズル、  ６Ｇ：外箱噴口、  ６Ｈ：排水管、  ６Ｗ：比重大物質加速機、  ６Ｘ：燃料噴射ノズル、  ６Ｙ：燃焼ガス噴射ノズル、  ６Ｚ：水蒸気噴射ノズル、  ７Ａ：プロペラ、  ７Ｂ：回転翼、  ７Ｃ：スクリュー、  ８ａ：タービン翼、  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８ｋ：内側圧縮翼（両側中心支持内側軸装置具備）  ８ｍ：外側圧縮翼（両側中心支持外側軸装置具備）、  ８ｎ：内側出力翼（両側中心支持内側軸装置具備）、  ８ｐ：外側出力翼（両側中心支持外側軸装置具備）  ８ｑ：内側圧縮翼（回転速度や周速度に合せた角度や曲線や回転半径二重反転とした圧縮翼）  ８ｒ：外側圧縮翼（回転速度や周速度に合せた角度や曲線や回転半径二重反転とした圧縮翼）、  ８ｓ：内側出力翼（回転速度や周速度に合せた角度や曲線や回転半径二重反転とした出力翼）、  ８ｔ：外側出力翼（回転速度や周速度に合せた角度や曲線や回転半径二重反転とした出力翼）  ８Ｆ：タービン翼群（運動エネルギ＝質量×速度の２乗に比例する。を利用超高速駆動物質速度記録に挑戦最大発電量にする）  ８Ｇ：一体タービン翼群（可変速発電電動機では一定周波交流で可変速となり、入出力が回転数の３乗に比例して変化する。を利用超高速周速度記録に挑戦最大発電量にする）    ９Ｂ：反発電磁石永久磁石、  ９Ｃ：吸引電磁石永久磁石、  ９Ｄ：空気圧部、  ９Ｅ：空気圧部、  ９Ｍ：嵌合組立部、  ９Ｑ：垂直平行板、  ９ｂ：上吸引下反発磁石（反発磁石中核補助吸引磁石）  ９ｃ：吸引磁石、  ９ｄ：反発磁石、  ９ｅ：上吸引下左右反発磁石、  １０Ｂ：二重反転機関用立型旋盤、  １０Ｃ：二重反転機関用旋盤、  １０Ｄ：圧縮翼用研削盤、  １０Ｅ：出力翼用研削盤、  １０Ｆ：タービン翼用研削盤、  １０Ｇ：タービン翼用研削盤、  １０Ｈ：超大型旋盤、  １０Ｊ：一体タービン翼用研削盤、  １１：全動翼蒸気タービン、  １１ａ：リニア噴射車両、  １１ｂ：噴射車両、  １１ｃ：電気自動車、  １１ｄ：二重反転船舶、  １１ｅ：噴射船舶、  １１ｆ：横型機関飛行機、  １１ｇ：横型噴射飛行機、  １１ｈ：竪型機関飛行機、  １１ｉ：竪型噴射飛行機、  １１ｊ：横型オスプレイ、  １１ｋ：噴射オスプレイ、  １１Ｂ：二重反転自動車、  １１Ｃ：二重反転船舶、  １１Ｄ：復水器、  １１Ｅ：二重反転飛行機、  １１Ｆ：二重反転噴射船舶、  １１Ｇ：二重反転噴射飛行機、  １１Ｉ：回転翼飛行機、  １１Ｊ：回転翼噴射飛行機、  １１Ｍ：オスプレイ特大、  １１Ｎ：オスプレイ大型、  １１Ｗ：横型全動翼蒸気比重大物質重力タービン、  １１Ｘ：横型全動翼蒸気水重力タービン、  １１Ｙ：竪型全動翼蒸気比重大物質重力タービン、  １１Ｚ：竪型全動翼蒸気水重力タービン、  １２：重力発電建物、  １２Ａ：鉄骨骨組、  １２Ｂ：柱管、  １２Ｃ：軸受（反発磁石中核として各種磁力利用で軸受荷重０接近にする）  １２Ｄ：角��ランジ、  １２Ｅ：二重反転噴射機関、  １２Ｆ：二重反転空気噴射機関、  １２Ｇ：二重反転機関、  １２Ｎ：２段圧縮機、  １２Ｙ：対向２段圧縮機、  １２Ｚ：対向２段圧縮機、  １３：発電機固定子、  １３ａ：発電機回転子、  １３Ａ：発電外軸回転子、  １３Ｂ：発電内軸回転子、  １３Ｃ：推力軸受（反発磁石中核として各種磁力利用で軸受荷重０接近にする）  １３Ｄ：電動機固定子、  １３Ｅ：電動外軸回転子、  １３Ｆ：電動内軸回転子、  １４Ｅ：竪型噴射機関、  １４Ｆ：竪型空気噴射機関、  １４Ｇ：竪型機関、  １４Ｈ：竪型酸素製造機、  １４Ｊ：横型噴射機関、  １４Ｋ：横型空気噴射機関、  １４Ｌ：横型機関、  １４Ｍ：横型酸素製造機、  １６：水平軸板（精密組立を容易にする円盤）  １６Ａ：水平軸、  ２１：太陽光加熱器（吸入空気路を熱吸収管４Ｈ内にも設けて主使用する）    ２１Ｗ：横型蒸気比重大物質発電機、  ２１Ｘ：横型蒸気水発電機、  ２１Ｙ：竪型蒸気比重大物質発電機、  ２１Ｚ：竪型蒸気水発電機、  ２４Ａ：圧縮空気制御弁、  ２５：過熱蒸気制御弁、  ２５ｂ：高圧燃料制御弁、  ２５ｃ：燃料管、  ２８Ａ：吸入空気路、  ２８ａ：空気、  ２８ｂ：吸入空気路、  ２９ａ：超高圧空気、  ３８Ｈ：理論スクリュー船舶、  ３８Ｊ：理論噴射船舶、  ３８Ｔ：理論噴射飛行機、  ３８Ｕ：理論プロペラ飛行機、  ４９：燃焼ガス、  ５０：過熱蒸気、  ５０：過熱蒸気室、  ５０Ａ：高圧高温水、  ５０ａ：過熱蒸気噴射管、  ５２Ａ：水、  ５２Ｂ：水管、  ５２Ｃ：アルコール、  ５２Ｃ：アルコール管、  ５２Ｄ：逆浸透水（固形物除去タービン翼群８Ｆの摩耗量を僅少にする水）、  ５２Ｄ：逆浸透水管、  ５２Ｅ：蒸留水、  ５２Ｅ：蒸留水管、  ５２ａ：水、  ５２ｂ：高温水、  ５３Ａ：外側出力翼群（駆動流体速度の１／１０前後外周速度狙う出力翼）  ５３Ｂ：内側出力翼群（駆動流体速度に近い外周速度狙う出力翼）  ５３Ｃ：外側圧縮翼群（５Ｈ製造用の逆浸透水５２Ｄ冷却翼）  ５３Ｄ：内側圧縮翼群、  ６０Ａ：内側軸装置、  ６０Ｂ：外側軸装置、  ６０Ｃ：円筒内側動翼群、  ６０Ｄ：円筒外側動翼群、  ６０Ｇ：外側環状翼群、  ６０Ｈ：内側環状翼群、  ６０ｃ：内側動翼群、  ６０ｄ：外側動翼群、  ６０ｅ：外入口翼群、  ６０ｆ：内入口翼群、  ６０ｇ：外中間翼群、  ６０ｈ：内中間翼群、  ６０ｊ：内出口翼群、  ６０ｋ：外出口翼群、  ７７Ａ：ガスタービン外箱、  ７７Ｂ：ロケット外箱、  ７７Ｃ：二重反転機外箱、  ７７Ｇ：円筒回転部、  ７７ａ：タービン外箱、  ７７ｂ：圧縮機外箱、  ７７ｃ：発電機外箱、  ８０：軸受（磁力＋空気圧利用で可能な限り軸受荷重を０に近付ける）  ８０Ａ：継手、  ８０Ｂ：締付具、  ８０ａ：推力軸受（磁力＋空気圧利用で可能な限り軸受荷重を０に近付ける）    ８５：二重反転磁気装置（磁石利用歯車高さ僅少から無接触にし横軸１ｈ歯車により相互逆回転にする）  ８５Ｙ：二重反転歯車装置（横軸１ｈ歯車により相互逆回転にする）  ８８Ｂ：蒸気合体空気噴射部、  ８８Ｃ：理論空気噴射部、  ８８Ｌ：蒸気合体水噴射部、  ８８Ｍ：理論水噴射部、  ８９Ａ：液体酸素製造機
【図１】
2016113952.tif 000003
【図２】
2016113952.tif 000004
【図３】
2016113952.tif 000005
【図４】
2016113952.tif 000006
【図５】
2016113952.tif 000007
【図６】
2016113952.tif 000008